(57)【要約】      （修正有）【課題】被介護者を持ち上げることなくベッド等から容易に車椅子等の移送用具に移動させることが出来る経済的な介護用移動補助具を提供する。【解決手段】被介護者を浅い舟形のカプセル状の補助具に乗せ、移送用の車椅子、キャスター等に、被介護者を持ち上げることなく、ベッド上を滑らせて被介護者を移動させる簡便な介護移動用の摺動性カプセル治具を提供して、負担の軽減を実現する。移動用のカプセル状治具は、摺動部位等に、摺動特性に優れるポリオキシメチレン、フッ素樹脂、ポリオレフィン等を用いる。【選択図】図１
2017042576.tif 000002
【特許請求の範囲】
【請求項１】
被介護者を浅い舟形のカプセルに乗せ、被介護者を移動させる際に被介護者をカプセルに乗せたまま、被介護者を持ち上げることなく、カプセルを滑らせて移動させることを特徴とする、介護移動用の摺動性カプセル治具
【請求項２】
カプセルの全体若しくは摺動部分に用いる素材が乾燥時、対同素材の動摩擦係数が１．０以下のポリマーである、フッ素樹脂、ポリオレフィン、塩化ビニル樹脂、ポリオキシメチレン、ポリブチレンテレフタレート、より選ばれる１種若しくは２種以上のポリマーよりなることを特徴とする請求項１項記載の摺動性カプセル治具
【請求項３】
浅い舟形のカプセルが請求項３−５項の記載の樹脂素材でコーテイングしたパイプにより形成されていることを特徴とする請求項１項記載の摺動性カプセル治具
【発明の詳細な説明】
【技術分野】
【０００１】    本発明は、介護者が非介護者を持ち上げることなく、ベッド等から容易かつ安全に車椅子、キャスター等の移送用具に滑らせて移動させることができる介護用の異動補助具に関するもものである。
【背景技術】
【０００２】    病人や高齢者、障害者等の身体が不自由な被介護者の介護には、被介護者の生活の質を維持するために、寝具の取り替え、入浴、所内外の人的交流、散歩等々のためにベッドから車椅子、キャスター等に一時的にせよ移動する必要を生じる。ベッド等から車椅子、キャスター等の所望の移送手段に移動させる、またその逆のベッドへの移動の際には、その都度介護者が被介護者を抱き起こして移動させることが必須となっている。寝たきりの被介護者の生活の質を確保、向上するため、車椅子、キャスター等による他所への移動で環境刺激を増やす必要が有り、その頻度は必然的に増やさざるを得ない。介護施設では、介護者の所定人員での遣り繰りの中で、被介護者の生活の質を確保すべく、介護者は被介護者をベッドから車椅子、キャスター等の移送手段へ、またその逆を行うことで、肉体的に大きな労力を伴い、その都度被介護者を抱きかかえることでの腰への負担となって現れている。介護者の職業病とも言うべき腰痛を発症している介護者は、介護者全体の半数以上にのぼると言われる。高齢社会を迎える中で在宅介護がますます重要度を上げており、我国住宅事情の故に、介護者の抱きかかえ等による肉体的負担の増加は、ますます腰痛発症を増加させる懸念となっている。
その肉体的負担を軽減、腰痛発症を防ぐべく、欧米の先進福祉国では、“Ｎｏ  Ｌｉｆｔ”のスローガンのもとに吊り上げ機器（Ｌｉｆｔ）が発展し、介護現場で不可欠な装置となっている。
我国の介護施設でも吊り上げ機器が普及しておりその使用は不可欠となってきているが、在宅介護の必要な住宅環境では、嵩張る装置の普及は思うように進んでいない。そのために介護者が種々の工夫をして非介護者をシーツにくるみベッド上を引きずって移動させる等なされているが、シーツへのくるみ方等介護者に煩雑な負担を課している。（公知非特許例１）
その弊害を除くべく、我が国でも、種々の工夫が見られるが（公知特許例１、２参照）、介護現場での意識の持ちようや機器の複雑さや高価格なために、その普及は妨げられているのが、現状である。我が国の人口構成で６０歳代の子が８０代過ぎの親を介護する事例が増えるに従い、リフト機器が普及しない弊害、介護者の腰痛を含めた肉体的な負担は、益々大きなものとなっている。
従来の装置は、安全に吊り上げることに主眼を置き、動力も電源を必要としているため介護する高齢者には運転が簡便とはいえない。たとえ水平移動でも、リフトを用いて滑車により移動させる様な装置となり（公知特許例３、４、５）、相応の場所を占める装置が大型にならざるを得ない。介護のベッドと車椅子に場所を取られ、我が国の住宅事情に鑑みてスペース上から相容れないものとなっていて、普及の妨げとなっている。
水平移動を滑らせることで実現する試みも見られるが、予めフレームを渡した浴槽内でのハンモック様の使用に限られ、移動の自由度が左右に限定された小さいものであり、本発明の概念とは、異なる。（公知特許例６）
【先行技術文献】
【０００３】
【特許文献１】特開平９−１０８２７７号公報
【特許文献２】特開２００３−１２６１８０号公報
【特許文献３】特開２０１０−１７２６３０号公報
【特許文献４】実用新案３０４８１４８号公報
【特許文献５】特開２００２−６５７６３号公報
【特許文献６】実用新案３１１５７１６号公報
【非特許文献】
【０００４】
【非特許文献１】読売新聞北海道支社発行、読売新聞２０１５年７月３１日１６面記事
【発明の概要】
【発明が解決しようとする課題】
【０００５】    社会の高齢化が進むに従い、今後、益々、高齢者が要介護者を介護する機会が増える、いわゆる老々介護が必然的になるに従い、肉体的には腰痛発症を誘引し、例え機器導入できても、装置運転の煩雑さが扱いにくさを増すことが想定され、入浴時等の被介護者を抱きかかえ持ち上げる機会は依然として無くならず、腰痛発症要因は残ったままである。介護者の腰痛防止と被介護者の生活の質を維持するためにも、大きな場所を占めず、装置の煩雑な運転のない、吊り上げるに代表される様な肉体的な負担の少ない、簡便な器具が必要とされている。本発明は、このような課題を解決するために案出されたもので、被介護者を持ち上げることなくベッド等から容易かつ安全に車椅子、キャスター等の移送用具に移動させることができ、簡便な操作で、日本の住宅事情に即して場所も取らず、高齢者が介護に使用しても肉体的に負担の少ない被介護者の移動用の補助治具を提供することを目的とする。
【問題を解決するための手段】
【０００６】    被介護者を浅い舟形のカプセル状の補助具に乗せ、移送用の車椅子、キャスター等に、被介護者を持ち上げることなく、ベッド上を滑らせて被介護者を移動させることを特徴とする、介護移動用の摺動性カプセル治具。移動用のカプセル状治具は、滑らせる摺動部位または全部位に滑性の良い、摺動特性に優れるポリオキシメチレン、フッ素樹脂、ポリオレフィン等を用いる。
上記課題は、吊り上げ、吊り下げを伴わずに、被介護者をベッ上で浅い舟形のカプセルに乗せ、そのままベッド上を滑らせて、従来の移送手段である車椅子、キャスター等に移動させ、所望によりカプセルを連結、固定して、乗せれば、介護者が非介護者を抱きかかえる様な肉体的な負担を軽減でき、電気等の動力源もいらずに、滑らせるという簡便な操作で安全に解決出来ることに思い至り、発明を完成させたものである。本発明を用いれば、キャスター等で浴室に被介護者を移送して、キャスターの高さを浴槽縁に調整して、被介護者を乗せたカプセルをそのまま浴槽縁を滑らせて入浴させることができ、逆の浴槽からのキャスターへの移動も、入浴後にカプセル状の補助具を被介護者の腰部に据えて滑らせてキャスターに乗せることが可能である。
＜移動の手段と使用形状＞  滑らせる介護補助具、カプセル
すなわち、第一の発明は、被介護者を乗せる浅い舟形の摺動性のカプセルを用いて、被介護者を持ち上げることなく、車椅子、キャスター等の移送装置に滑らせて移動させることを特徴とする、介護移動用の摺動性のカプセル治具である。
此処で言う浅い舟形の意味は、被介護者をベッド上で寝たままで体の下に差し込むことができ、被介護者の体を最低限に動かす、寝返りをうつ程度でカプセルに乗せることが出来ること、また、そのまま舟形の底を、中央部の要介護者の腰に相当する部分で傾斜を持たせてあり、より滑らせる効果を上げるための形状をいう。ベッドのシーツ上を被介護者を乗せてカプセルをそのまま滑らせて移動させることが可能である。ベッドでなく床との高低差がない床敷の布団の場合はカプセル状でそのまま所望の場所に移送できる。
既存の車椅子やキャスター以外に、移送の手段として、同様の摺動性を保たせた適当な台座の使用も可能である。
移送用の車椅子、キャスター、摺動性台座等は、随時、使用するベッドや浴槽等の高さに合わせて高低を調節する機能を備えているものが好適である。
カプセル及び被介護者の使用の形態は図に示すとおりである。カプセルをそのまま移動手段に用いる場合は、カプセル摺動部分が消耗、若しくは損傷し易いので摺動部分を張り替え等の交換可能な補強する形態が望ましい。
また、介護者がベッド等を滑らせて使用しやすいように、カプセルに図のようなカプセルの両側に介護者が握りやすい取っ手用の穴を設けることが望ましい形態である。
＜機能＞  動摩擦係数、滑らせる利点
第二の発明は、カプセルの全体若しくは摺動部分に用いる素材が乾燥時、対同素材の動摩擦係数が１．０以下のポリマーであることを特徴とする、使用する素材に関する。
滑らすことが動力源であるので、動摩擦係数が小さい方が好ましく、同じ素材で１．０以下が好ましく、０．５以下であれば更に好ましい。
ポリマーの使用は、滑りやすさは勿論のこと、必要とする形状への加工が容易であり、剛性と柔軟性を併せ持ち、耐水性、疎水性に優れていることを実現する。
ポリマーの賦形加工は、ポリマー当業者が容易に成形加工出来る方法を用いるが、ポリマー板のプレス成形や、全形状を一体成形する射出成形等で量産出来る。ポリマー板にそのまま切れ目を入れる等の切削加工を施して舟形の浅いカプセル状に作成しても良い。
また、滑らせる機能は、滑る部分にあれば良く摺動部分のみに当該ポリマーを装着、添付しても良い。
＜好適な素材＞
第三の発明は、カプセル全体及び摺動部に用いられる素材が、上記低摩擦係数で、かつ成形加工の容易なフッ素樹脂、ポリオレフィン、塩化ビニル樹脂、ポリオキシメチレン、ポリブチレンテレフタレート、より選ばれる１種若しくは２種以上のポリマーよりなることであり、プレス成形、射出成形等の加工により量産加工が容易に出来る素材を用いることにある。
これらのポリマーは、柔軟性、可撓性や剛性に優れているので、当該加工業者により、車椅子やキャスター、台座等にそのまま乗せられる柔軟性や、剛性による駆体の構造保持性を付与するための各部位の厚みや形状設計が容易である。
複数のポリマーの使用は、例えばカプセル本体をポリオレフィンで作り摺動部分をポリオキシメチレンで構成する等が挙げられ、経済性と摺動性を両立させる手法を提供する。また、ポリマーは、当該業者の周知の技術により、各種の機能性添加剤をコンパウンド出来る。本使用に当たっては、更なる滑性を付与するため各種滑剤や摺動時に発生する静電気を低減する帯電防止剤等が主たるものとして挙げられる。
被介護者への体への馴染みやすさを図る柔軟性と剛性は、ポリオレフィン系の共重合体であるエチレンプロピレン共重合対が好適に実現できる。
滑りやすさを主体とする介護者の労力削減を優先するときは摺動性と剛性に優れるポリオキシメチレンやポリブチレンテレフタレレートが好適である。剛性を優先するときは、被介護者の体への接触を和らげるために、体の接触部位には発砲ポリエチレンや発砲ポリウレタン等のクッション材を用いる多層構造にしても良い。
量産加工の経済性と柔軟性の設計自由度からは塩化ビニル樹脂が好適な素材となる。
各素材は、使用の形態により選定が可能であり、各素材は既存の加工メーカーで容易に製作が可能である。
＜量産加工、経済性＞
第四の発明は、素材が、摩擦係数、経済性と量産加工を両立させることが可能な素材で、ポリエチレン、ポリプロピレン、若しくはそれらの共重合体であること、若しくは塩化ビニル樹脂を示している。これらの汎用性ポリマーは、経済的に優れており、かつ２種以上の一体成形が可能であり、また当該業界での技術の蓄積も多く、従来の金型の転用等による大型成形が可能な素材である。
＜使用の形態＞  入浴、排便時便座とのドッキング
第五の発明は、カプセルを浴槽等の水場で使用することを想定したもので、浅い舟形のカプセルの被介護者の背中及び腰の位置に水抜き用の穴を複数個空けることで水場での被介護者の入浴を容易にしている。また、使用するポリマー素材は、撥水性の大きい、耐水性の優れたことに大きな特徴があり、濡れても吹けばすぐに使用が可能となる特徴を有する。
またトイレを使用することを想定して、便座に直接移動してそのまま排便が可能になるよう、カプセルを便座に対応した孔開き形状にすることができる。
【図面の簡単な説明】
【０００８】    図１に本発明の使用法、補助具使用時の位置関係を上部透視で示す。
補助具は太線で示す。
図２に本発明の使用法を側面から見た様子を示す。
図３に本発明のカプセル状補助具形状の一例を示す。
【発明を実施するための形態】
【０００９】    次に本発明を実施する好適な実施態様を添付図面を参照しながら説明する。
図１は要介護者を乗せる舟形の浅いカプセルを示す。カプセルは要介護者の全身を収納しなくとも移動に差し支えない範囲で足首や頭が出ても良い。舟形の浅いカプセルの意味は、板状に少々湾曲を付けた程度でも良く、要介護者が寝ていても身体の下に差し込むことが容易であることが望ましい。また設けた湾曲は、滑らせる摺動部の設置面積を少なくし接地抵抗を軽減して、より摺動性を向上させる。
図３は被介護者の足の負担の少ない姿勢を考慮して作成した一例である。
図３にカプセル形態の一例を示したが、要介護者の寝ている状態で、体の下に差し込むのに支障のない範囲で形状を考慮することが望ましい。
カプセルと被介護者の使用の形態を図２に示したが、カプセルの大きさと湾曲形状は使用形態により選定する。被介護者と介護者の使用の安定性から被介護者の腰を中心とした湾曲構造が、滑り易さと併せた主たる構造となる。
車椅子等での移送による散策等の長時間の使用に供する時は、前述の体のクッション材の構造を保つカプセルを用いるか、または車椅子へ移動後に、カプセルを外して車椅子のクッションを利用することも可能である。カプセルは浅い舟形構造であるので、車椅子に座る被介護者を片側に重心移動させて、容易にカプセルを外すことができる。
車椅子、キャスター等の移送手段を用いずにカプセル状の補助具をそのまま床敷の布団から移送手段として用いる場合、カプセルは、家庭内等の限定された場所でそのまま滑らせて移動させるのに適しており、畳、カーペット、木質の床、浴室内タイル等に好適である。
【発明の効果】
【０００７】    本発明は、介護者が非介護者を抱えることなく、簡便なカプセル状の補助具を用いて、容易にベッド上等を滑らせて移動させるため、労力を要せずに非介護者を移動させることができるので、介護者の腰の負担を軽減し、リフト等の高額の装置を必要としない経済性に優れ、かつ不使用時はベッド下等の隙間に収納が可能な使い勝手の良い種々の利点を有する。
【実施例】
【００１０】    以下に本発明を実施例を持って説明する。本実施例は本発明を限定するものではない。
ポリマー板を加工してカプセルを作成するときは、既存の厚み５ミリ程度のポリマー板を用いて、切り込み等を入れ、加熱圧延加工するのが好適である。本発明者は、市販のエチレンプロピレン板を加工メーカーで図３の形態に作成した。
また、本発明者は、北国で一般的な雪上使用するポリエチレン製の子供用のソリの底部を浅く切り取り、浅いカプセル状の補助具を作成した。補助具の両側面に、引っ張る手がかりになる穴を手指の入る大きさに開けた。
上記により作成した２種類の補助具を用いて各々、ベッド上で模擬介護者を乗せ、滑らせて移動を確認した。少ない力で容易に滑り、カプセルでそのまま車椅子に乗せた乗り心地もカプセルが柔軟にしなり易く、使用感の良いことを確認した。
ベッド上で模擬の被介護者を入浴しやすい用に脱衣させバスタオルで体をくるみ、カプセルに乗せてキャスターに移動させ、浴室に入りキャスターの高さを浴槽の縁の高さに合わせ、模擬の被介護者のバスタオルを取り裸にして、そのままカプセルを滑らせて被介護者を浴槽に入れた。浴槽の湯はなるべく浴槽縁の高さに近い、満杯に近い状態が、入浴と浴槽からのキャスターへの移動に好適であることを確認した。カプセルのまま浴槽中で要介護者を洗うことも出来るし、浴室内でカプセルに乗せたまま洗うことも可能である。要介護者の身体を拭き取り時にカプセルも同時に拭き取れるが、カプセルの水抜き穴と材質が疎水性のため容易に水をはじくので、カプセル上でそのまま要介護者の着衣が可能となる。
カプセルのままの被介護者の移送は、限られた家庭内等の場所での、車椅子等を用いずにそのまま滑らせて移動させることができるので、限定された家庭内等の移動に好適であり、そのまま浴室等への移動に好適である。車椅子等の嵩張る空間を必要とせず、不要時の収納も容易く、出し入れの扱いは容易で、随時取り出して使用できる簡便さを備えている。
【産業上の利用可能性】産業上利用方法、生産方法、使用方法【００１１】  ＜産業上の利用方法＞
本発明の介護補助具は、介護を必要とする病院、介護施設、訪問介護が対象となる自宅等々の場所で有効に活用できる簡便性を持ち、介護者の腰痛回避、作業の効率化が優位に図れる。
＜生産方法＞
本発明に供する、カプセル全体及び摺動部に用いられる素材が、上記低摩擦係数で、かつ成形加工の容易なフッ素樹脂、ポリオレフィン、塩化ビニル樹脂、ポリオキシメチレン、ポリブチレンテレフタレート、より選ばれる１種若しくは２種以上のポリマーよりなることであり、プレス成形、射出成形等の加工により量産加工が容易に出来る素材を用いることにある。
これらのポリマーは、柔軟性、可撓性や剛性に優れているので、当該加工業者により、車椅子やキャスター、台座等にそのまま乗せられる柔軟性や、剛性による駆体の構造保持性を付与するための各部位の厚みや形状設計が容易である。
複数のポリマーの使用は、例えばカプセル本体をポリオレフィンで作り摺動部分をポリオキシメチレンで構成する等が挙げられ、経済性と摺動性を両立させる手法を提供する。また、ポリマーは、当該業者の周知の技術により、各種の機能性添加剤をコンパウンド出来る。本使用に当たっては、更なる滑性を付与するため各種滑剤や摺動時に発生する静電気を低減する帯電防止剤等が主たるものとして挙げられる。
被介護者への体への馴染みやすさを図る柔軟性と剛性は、ポリオレフィン系の共重合体であるエチレンプロピレン共重合対が好適に実現できる。
滑りやすさを主体とする介護者の労力削減を優先するときは摺動性と剛性に優れるポリオキシメチレンやポリブチレンテレフタレレートが好適である。剛性を優先するときは、被介護者の体への接触を和らげるために、体の接触部位には発砲ポリエチレンや発砲ポリウレタン等のクッション材を用いる多層構造にしても良い。
量産加工の経済性と柔軟性の設計自由度からは塩化ビニル樹脂が好適な素材となる。
各素材は、使用の形態により選定が可能であり、各素材は既存の加工メーカーで容易に製作が可能である。
＜量産加工、経済性＞
本発明は、素材が、摩擦係数、経済性と量産加工を両立させることが可能な素材で、ポリエチレン、ポリプロピレン、若しくはそれらの共重合体であること、若しくは塩化ビニル樹脂を示している。これらの汎用性ポリマーは、経済的に優れており、かつ２種以上の一体成形が可能であり、また当該業界での技術の蓄積も多く、従来の金型の転用等による大型成形が可能な素材である。
【図１】
2017042576.tif 000003
【図２】
2017042576.tif 000004
【図３】
2017042576.tif 000005